(57)【特許請求の範囲】
【請求項１】
直流電流により点灯する電気的光源と、
直流電源部の出力端間および前記電気的光源に接続されるとともに、少なくともスイッチング素子を含む電圧変換回路と、
前記スイッチング素子へ駆動信号を出力する駆動部と、
を備える点灯装置であって、
前記駆動部は、制御電源が供給された後の所定時間経過前に、当該駆動部によって消費される消費電力に応じて決定される第１のインピーダンスをもつ第１のインピーダンス素子を有し、
前記スイッチング素子は前記直流電源部の出力端の正電位側に接続され、
前記スイッチング素子がオンオフ動作をしているとき、前記駆動信号を生成するための制御用コンデンサが、前記スイッチング素子のオフ時に充電され、
さらに点灯装置は、
前記スイッチング素子がオンオフ動作をしていないとき、前記制御用コンデンサを直流充電可能な経路に設けられた抵抗成分を有する第２のインピーダンスをもつ第２のインピーダンス素子を備える、点灯装置。
【請求項２】
請求項１に記載の点灯装置であって、
前記電圧変換回路は、前記スイッチング素子および前記電気的光源に接続されたインダクタを含み、
前記第２のインピーダンス素子は、前記スイッチング素子と前記インダクタとの接続点と同電位の点に接続される点灯装置。
【請求項３】
請求項１または２に記載の点灯装置であって、
少なくとも前記駆動部と前記第２のインピーダンス素子とが制御用集積回路として構成された点灯装置。
【請求項４】
請求項１から３のいずれか１項記載の点灯装置を備える照明器具。
【発明の詳細な説明】
【技術分野】
【０００１】
本発明は、光源の点灯制御を行う点灯装置及びそれを用いた照明器具に関する。
【背景技術】
【０００２】
従来、照明用の光源として蛍光ランプが主流であり、インバータ点灯装置を用いて高周波点灯する照明器具が広く普及している。しかしながら、近年、蛍光ランプに代表される放電ランプ以外の電気的光源として、発光ダイオード（ＬＥＤ）が注目を浴びている。発光ダイオードは特に寿命の観点において蛍光ランプより優れており、今後の技術向上によってベース照明用の蛍光ランプとして主流であるＦＨＦ３２を越える効率も期待されている。しかしながら、発光ダイオードは放電ランプと異なり、直流電力を出力する点灯回路によって点灯されるため、従来のインバータ点灯装置をそのまま使用することはできず、発光ダイオードの特性と使用個数に合わせた専用の直流電源を必要とする。
【０００３】
図１１は、特許文献１の電源装置を示す。電源装置は、直流電源Ｅの出力端間に接続された第１スイッチング素子Ｑ１とダイオードＤ１との直列回路と、ダイオードＤ１の両端間に接続されたインダクタＬ１とコンデンサＣ１との直列回路とで構成されたバックコンバータを含む。制御回路は駆動用コンデンサＣｓを電源として第１スイッチング素子Ｑ１をオンオフ駆動する。第１スイッチング素子Ｑ１がオンオフ駆動されるオン期間の前にオンされてダイオードＤ１の両端間を短絡し充電用コンデンサＣｃから駆動用コンデンサＣｓへの充電経路を構成する第２スイッチング素子Ｑ２が設けられている。
【０００４】
本構成によれば、駆動用コンデンサの両端電圧が安定するまでにかかる時間を短縮することができる電源装置及び照明器具が提供される。
【０００５】
また、直流電力を出力するための代表的な回路例として降圧チョッパ方式が知られている。図１２は、特許文献２が開示するそのような方式を採用した点灯装置を示す。降圧チョッパ部のスイッチング素子Ｑ１をオンオフする駆動信号を出力する制御部に制御電源Ｖｃｃを供給する制御電源部を備えた点灯装置である。スイッチング素子Ｑ１は直流電源部１の出力端の正電位側に、直流点灯する電気的光源は直流電源部の出力端のゼロ電位側に接続されている。スイッチング素子Ｑ１の駆動信号を生成するための制御電源用コンデンサＣ２がスイッチング素子Ｑ１のオフ時に制御電源部から充電され、直流電源部の出力端の正電位側から電気的光源へ直流電流を供給する経路に抵抗成分を持ったインピーダンス素子Ｒ１を接続され、制御部は制御電源Ｖｃｃが供給された所定時間後にスイッチング素子Ｑ１をオンオフするための駆動信号を出力する遅延手段を有する。
【０００６】
本構成によれば、スイッチング素子を直流電源の正電位側に接続しても簡単かつ安価な構成で高圧側制御電源を確実に生成することができる。
【先行技術文献】
【特許文献】
【０００７】
【特許文献１】特開２０１１−１５５７４６号公報
【特許文献２】特開２０１１−１６５５８７号公報
【発明の概要】
【発明が解決しようとする課題】
【０００８】
特許文献１の電源装置では、バックコンバータの部分において、第１スイッチング素子Ｑ１と第２スイッチング素子Ｑ２という高価なスイッチング素子が二つ必要とされており、製造コストの面で問題が生じ得る。
【０００９】
一方、特許文献２の点灯装置は、簡易かつ安価なインピーダンス素子（抵抗成分）Ｒ１を設けることにより、ＬＥＤモジュールに対する印加電圧、すなわち、スイッチング素子Ｑ１のソース電圧を決めることが実現されている。しかしながら、ＬＥＤモジュールのような負荷に応じて抵抗成分の抵抗値を設計変更する必要があり、点灯装置の設計、製造において大きな負担が生ずることとなる。
【００１０】
本発明は、簡易な構成にて、かつ光源のような負荷に応じて抵抗値を設計変更する必要のない点灯装置およびそれを用いた照明器具を提供する。
【課題を解決するための手段】
【００１１】
本発明の点灯装置は、直流電流により点灯する電気的光源と、直流電源部の出力端間および前記電気的光源に接続されるとともに、少なくともスイッチング素子を含む電圧変換回路と、前記スイッチング素子へ駆動信号を出力する駆動部と、を備える点灯装置であって、前記駆動部は、制御電源が供給された後の所定時間経過前に、当該駆動部によって消費される消費電力に応じて決定される第１のインピーダンスをもつ第１のインピーダンス素子を有し、前記スイッチング素子は前記直流電源部の出力端の正電位側に接続され、前記スイッチング素子がオンオフ動作をしているとき、前記駆動信号を生成するための制御用コンデンサが、前記スイッチング素子のオフ時に充電され、さらに点灯装置は、前記スイッチング素子がオンオフ動作をしていないとき、前記制御用コンデンサを直流充電可能な経路に設けられた抵抗成分を有する第２のインピーダンスをもつ第２のインピーダンス素子を備える。
【００１２】
前記第１のインピーダンス素子の前記第１のインピーダンスは、前記第２のインピーダンス素子の前記第２のインピーダンスより大きいことが望ましい。
【００１３】
前記第１のインピーダンス素子の前記第１のインピーダンスは、前記第２のインピーダンス素子の前記第２のインピーダンスの１０倍より大きいことが望ましい。
【００１４】
前記電圧変換回路は、前記スイッチング素子および前記電気的光源に接続されたインダクタを含み、前記第２のインピーダンス素子は、前記スイッチング素子と前記インダクタとの接続点と同電位の点に接続されるようにしてもよい。 
【００１５】
少なくとも前記駆動部と前記第２のインピーダンス素子とが制御用集積回路として構成されてもよい。
【００１６】
本発明の照明器具は、上述した点灯装置を備える。
【発明の効果】
【００１７】
本発明によれば、簡単な素子を使用した簡易な構成にてスイッチング素子の駆動電圧を確保することができるとともに、負荷の種類に応じて抵抗値を設計変更する必要のない点灯装置およびそれを用いた照明器具が提供される。
【図面の簡単な説明】
【００１８】
【図１】実施例１の点灯装置の回路図
【図２】駆動部の一例を示す回路図
【図３】実施例１の動作を示すタイミングチャート
【図４】駆動部の入出力信号のタイミングチャート
【図５】実施例２の点灯装置の回路図
【図６】実施例２の点灯装置の変形例の回路図
【図７】本発明の点灯装置を使用した照明器具の例
【図８】ＬＥＤモジュールの例
【図９】実施例３の点灯装置の回路図
【図１０】実施例３の点灯装置の変形例の回路図
【図１１】従来の電源装置及び照明器具を示す平面図
【図１２】従来の点灯装置及び照明器具を示す平面図
【発明を実施するための形態】
【００１９】
以下、本発明に係る点灯装置および照明器具の好適な実施形態を、図１〜図１０に基づいて詳述する。
【００２０】
＜実施例１＞
図１は本発明の実施例１の点灯装置の回路図である。点灯装置は直流電源部１の出力端に接続され、降圧チョッパ部２と、ＬＥＤモジュール３と、駆動部４と、制御部５と、制御電源部６と、タイマー部７と、第２のインピーダンス素子８と、制御用コンデンサＣ２と、ダイオードＤ２とを備える。
【００２１】
降圧チョッパ部２は、スイッチング素子Ｑ１と、インダクタＬ１と、コンデンサＣ１と、ダイオードＤ１とを含み、電圧変換回路として機能する。スイッチング素子Ｑ１は、直流電源部１の正電圧出力端の正電位側に接続されているとともに、さらにインダクタＬ１、平滑コンデンサＣ１と直列接続される。スイッチング素子Ｑ１には、ＭＯＳＦＥＴ（Metal Oxide Semiconductor Field Effect Transistor）やＩＧＢＴ（Insulated Gate Bipolar Transistor）等が使用される。
【００２２】
制御用コンデンサＣ２は、後述するように、スイッチング素子Ｑ１を駆動する電源として機能する。スイッチング素子Ｑ１のソース電位に相当する接続点Ｐ１（図１参照）は中点電位に相当し、スイッチング素子Ｑ１自体が中点電位より高電圧側に設けられている。したがって、スイッチング素子Ｑ１のオンオフ動作（スイッチング駆動）には相応の高い電圧が必要とされ、制御用コンデンサＣ２はそのような高い電圧を達成するためのブートストラップコンデンサとして機能する。
【００２３】
そして、コンデンサＣ１に並列に、複数個の発光ダイオードにて構成され、直流電流により点灯、発光可能なＬＥＤモジュール（電気的光源）３が接続されている。したがって、スイッチング素子Ｑ１と、インダクタＬ１と、ＬＥＤモジュール３は直列接続される。
【００２４】
直流電源部１は例えば商用交流電源を全波整流器と昇圧チョッパ回路等を用いて直流電圧に変換して出力する構成としても良い。
【００２５】
制御部５は、降圧チョッパ部２のスイッチング素子Ｑ１をオンオフ制御するための制御信号を生成する。
【００２６】
駆動部４は、制御部５によって生成された制御信号の入力により、スイッチング素子Ｑ１へ駆動信号を出力する。
【００２７】
制御電源部６は、直流電源部１の出力端に発生した電圧に応じて少なくとも駆動部４に制御電源を供給する。
【００２８】
タイマー部７は、駆動部４に制御電源が供給された後、所定時間後にスイッチング素子Ｑ１をオンオフ制御するための信号を制御部５に出力する。
【００２９】
第２のインピーダンス素子８は、スイッチング素子Ｑ１がオンオフ動作をしていないとき、制御電源部６から制御用コンデンサＣ２を直流充電可能な経路に抵抗成分を有した第２のインピーダンスをもつ。本実施例では、第２のインピーダンス素子８は、スイッチング素子Ｑ１とインダクタＬ１との接続点Ｐ１に接続されている。
【００３０】
スイッチング素子Ｑ１のソース電位に相当する接続点Ｐ１は中点電位に相当し、スイッチング素子Ｑ１自体が中点電位より高電圧側に設けられている。したがって、スイッチング素子Ｑ１のオンオフ動作には相応の高いゲート電圧が必要とされ（特に電源電圧Ｖｃｃが高い場合）、制御用コンデンサＣ２によるバイアスが必要となる。
【００３１】
一方、スイッチング素子Ｑ１の非オンオフ動作時、すなわち装置の起動時には接続点Ｐ１の電位、すなわち接続点Ｐ２（接続点Ｐ１と同電位）の電位をできるだけ、特にグランドレベルまで下げ、制御電源部６から制御用コンデンサＣ２に電流が流れて、制御用コンデンサＣ２を充電可能な構成にすることが望まれる。
【００３２】
そこで、本実施例においては、第２のインピーダンス素子８を、制御電源部６から見て制御用コンデンサＣ２の低電位側に配置し、スイッチング素子Ｑ１の非オンオフ動作時に、制御用コンデンサＣ２を直流充電可能な構成としている。負荷としてのＬＥＤモジュール３は直流電流で作動するため、第２のインピーダンス素子８は簡易かつ安価なインピーダンス素子を採用することができ、特許文献１に使用されているような高価なＭＯＳＦＥＴを使用する必要がない。
【００３３】
また、特許文献２では抵抗Ｒ１を設けてＬＥＤモジュール３に電流を流し、スイッチング素子のソース電位をＬＥＤモジュール３の電位まで下げることを狙っている。この場合、負荷としてのＬＥＤモジュール３の種類に応じて抵抗Ｒ１の値を調整、変更する必要が生じ、点灯装置の設計、製造の負担が増すこととなる。本実施例においては、ＬＥＤモジュール３の負荷の値を考慮する必要がなく、第２のインピーダンス素子８を設けるだけでよいため、点灯装置の設計、製造の負担が増すこともない。
【００３４】
次に、降圧チョッパ部２の動作を説明する。スイッチング素子Ｑ１がオンしているときに、直流電源部１からダイオードＤ２、制御用コンデンサＣ２、スイッチング素子Ｑ１、インダクタＬ１を介してＬＥＤモジュール３に電流が流れる。スイッチング素子Ｑ１のオフ時には、インダクタＬ１に蓄積されたエネルギーはＬＥＤモジュール３、ダイオードＤ１を介して放出される。スイッチング素子Ｑ１のオンオフ周波数は数十ｋＨｚとすることが一般的である。
【００３５】
駆動部４は、蛍光灯用安定器に使用されるハーフブリッジ式インバータにおいて２個の直列接続されたスイッチング素子を交互にオンオフ制御するための駆動信号を出力する高耐圧ドライブＩＣのように（図２参照）、直流電源部１の正電圧出力端に接続されるスイッチング素子Ｑ１をオンオフするための駆動信号を供給する高耐圧ドライブの機能を有していればよく、端子Ｈｏｕｔから駆動信号が出力される。駆動部４の動作電源端子であるＶｃｃ端子には、制御電源部６から出力される制御電源電圧が供給される。Ｖｃｃ端子がグランド電位（直流電源部１の負電圧出力端の電位）に対して、所定の制御電源電圧となることで駆動部４は動作可能となる。
【００３６】
駆動部４はスイッチング素子Ｑ１へ駆動信号を出力する回路の制御電源を生成するためにＨＶｃｃ端子、及びＨｇｎｄ端子を有している。ＨＶｃｃ端子とＨｇｎｄ端子間には制御用コンデンサＣ２が接続され、Ｈｇｎｄ端子はスイッチング素子Ｑ１のソース側に接続されている。したがって、スイッチング素子Ｑ１のソース電位が略０［Ｖ］付近まで低下することによって、制御用コンデンサＣ２は制御電源部６からダイオードＤ２を介して、ほぼ制御電源電圧Ｖｃｃに等しい電圧に充電されることになる。制御用コンデンサＣ２に充電された電圧を電源としてスイッチング素子Ｑ１へ駆動信号を出力する回路は動作する。
【００３７】
図２は駆動部４の一例を示す回路図である。駆動部４は、ＩＣ化され、市販されているものであり、基本機能と付加機能に応じた回路が、ＨＶｃｃとＨｇｎｄとの間（ＨＶｃｃ−Ｈｇｎｄ間）付加される。本例は一般的な構成を示すものであり、ＨＶｃｃとＨｇｎｄとの間に第１のインピーダンス素子１０が、二つのスイッチング素子（ＭＯＳＦＥＴ）により挟まれた部分と、他の部分に設けられている。第１のインピーダンス素子１０は、駆動部４によって消費される消費電力に応じて決定されるものであり、このような箇所に設けられた図２の例はあくまで一例である。
【００３８】
ここで、第１のインピーダンス素子１０の第１のインピーダンスは、第２のインピーダンス素子８の第２のインピーダンスより大きいことが望ましい（第１のインピーダンス＞第２のインピーダンス）。第２のインピーダンスが大きいと、第１のインピーダンス素子と第２のインピーダンス素子８の抵抗分圧の作用により、接続点Ｐ１、Ｐ２の電位が高くなり、本来の意図が十分に達成できなくなるからである。（第１のインピーダンス＞第２のインピーダンス）という構成により、Ｈｇｎｄの電位、すなわち、スイッチング素子Ｑ１のソース電位を効果的に下げることができ、スイッチング素子Ｑ１をより有効に機能させることができる。また、ＨＶｃｃ−Ｈｇｎｄ間の電位差が大きくなり、駆動部４の外側で第１のインピーダンス素子１０と並列に接続された制御用コンデンサＣ２に十分な電荷を蓄積することができる。
【００３９】
第１のインピーダンス素子１０の第１のインピーダンスは、スイッチング素子Ｑ１のオンオフ動作開始後の通常動作（後述する図３（ｃ）、（ｄ）参照）より前における時間（図３におけるｔ０〜ｔ２の間）において、駆動部４で消費される消費電力に応じて決定される。例えば、第１のインピーダンス素子１０の両側のスイッチング素子（ＭＯＳＦＥＴ）においては、オフの状態であっても漏れ電流が発生する可能性がある。加算された漏れ電流が、ＨＶｃｃ−Ｇｇｎｄ間に流入するが、このような漏れ電流は、通常数μＡ〜数１０μＡ程度となる。電源Ｖｃｃに基づきＨＶｃｃ−Ｈｇｎｄ間に１０Ｖの電圧が印加され、かつＨｏｕｔから駆動信号を出力しない場合において、ＨＶｃｃ−Ｈｇｎｄ間に２０μＡの漏れ電流が流入するものと仮定する。この場合、ＨＶｃｃ−Ｈｇｎｄ間のインピーダンス（第１のインピーダンス）は、１０Ｖ／２０Ａ＝５００ｋΩとなる。したがって、第２のインピーダンス素子８の第２のインピーダンスは、５００ｋΩより小さいことが望ましい。
【００４０】
また、他の例として、ＨＶｃｃ−Ｈｇｎｄ間の電圧を監視し、Ｈｏｕｔの電位が低いと駆動信号を出力させないような監視回路を付加したケースを想定する。スイッチング素子Ｑ１の電圧に相当するＨｏｕｔの電位があまりに低い場合に、スイッチング素子Ｑ１の正常な動作が確保されないことを想定して、このような監視回路は設けられる。
【００４１】
このような監視回路はＨＶｃｃに接続されることがあるが、ＨＶｃｃ−Ｈｇｎｄ間の電圧を検出する複数個の抵抗要素や、異常判定値の比較対象となる基準電圧生成要素等を必要とする。このときＨＶｃｃ−Ｈｇｎｄ間のインピーダンス（第１のインピーダンス）は低くならざるを得ず、消費される電流は大きくなる。
【００４２】
上記構成の例として、電源Ｖｃｃに基づきＨＶｃｃ−Ｈｇｎｄ間に１０Ｖの電圧が印加され、かつＨｏｕｔから駆動信号を出力しない場合において、ＨＶｃｃ−Ｈｇｎｄ間に２００μＡの漏れ電流が流入するものと仮定する。この場合、ＨＶｃｃ−Ｈｇｎｄ間のインピーダンス（第１のインピーダンス）は、１０Ｖ／２００Ａ＝５０ｋΩとなる。したがって、第２のインピーダンス素子８の第２のインピーダンスは、５００ｋΩより小さいことが望ましい。
【００４３】
図３は、直流電源部１を初投入する際の各部波形について、実施例１の動作を示すタイミングチャートを用いて説明する。
【００４４】
図３（ａ）に示すように、時間ｔ０で直流電源部１を投入する。制御電源部６の電圧は、図３（ｂ）に示すように直流電源部１の投入に応じて生成される。このとき、スイッチング素子Ｑ１は、未だオンオフ動作を開始していない。
【００４５】
ここで、第２のインピーダンス素子８が、スイッチング素子Ｑ１がオンオフ動作をしていないとき、制御電源部６から制御用コンデンサＣ２を直流充電可能な経路に抵抗成分を有した状態で配置されている。具体的には、制御電源部６からダイオードＤ２、制御用コンデンサＣ２、第２のインピーダンス素子８を介して電流が流れる。
【００４６】
そこで、図３（ｂ）の点線に示すように、時間ｔ０からやや時間が経過した時間ｔ１より制御用コンデンサＣ２に対する充電が開始され、制御用コンデンサＣ２の電圧は上昇していく。尚、このとき図３（ｄ）に示すようにスイッチング素子Ｑ１のソース電圧が若干上昇しているが、これは各部の漏れ電流等の作用によるものであり、本質的にはスイッチング素子Ｑ１のソース電圧は、この時点ではゼロのままである。
【００４７】
制御電源部６の制御電源電圧および制御用コンデンサＣ２の電圧が所定電圧を超え、あらかじめ決められた所定時間が経過した時間ｔ２において、図３（ｃ）、図３（ｄ）に示すように駆動部４から駆動信号が出力され、スイッチング素子Ｑ１はオンオフを繰り返すことになる。ここで、駆動部４からの駆動信号は、タイマー部７と制御部５による制御により発信される。すなわち、タイマー部７は、制御電源部６により、駆動部４に制御電源が供給された後、所定時間後にスイッチング素子Ｑ１をオンオフ制御するための信号を制御部５に出力する。これを受けて、制御部５は、時間ｔ２において、駆動信号を出力する。
【００４８】
前述のように、スイッチング素子Ｑ１のオン時にインダクタＬ１に蓄積されたエネルギーは、スイッチング素子Ｑ１のオフ時に放出されてダイオードＤ１が導通することで、スイッチング素子Ｑ１のソース電圧は略０［Ｖ］に低下し、図３（ｄ）のように駆動信号に応じてオンオフを継続する波形となる。そして、スイッチング素子Ｑ１のオンオフ動作の開始とともに、図３（ｅ）に示すようにＬＥＤモジュール３に電流が流れ出し、通常動作が開始する。
【００４９】
図４は、通常動作における駆動部４の入出力信号のタイミングチャートを示す。図４（ａ）は、制御部５からＰｌｓｉｎ１端子に入力されるスイッチング素子Ｑ１のオン開始信号（制御信号）である。図４（ｂ）は、制御部５からＰｌｓｉｎ１端子に入力されるスイッチング素子Ｑ１のオン停止信号（制御信号）である。この結果、図４（ｃ）に示すような、スイッチング素子Ｑ１のオン信号が生成され、この一区間は、図３（ｃ）の１パルスに相当する。
【００５０】
上記実施例によれば、第２のインピーダンス素子８という簡単な素子を使用した簡易な構成にて、高圧の駆動電圧を必要とするスイッチング素子Ｑ１の駆動電圧を確保することができる。また、たとえＬＥＤモジュール３という負荷の種類が変更しても、改めて抵抗値を設計変更する必要のない点灯装置が提供される。
【００５１】
＜実施例２＞
図５は、実施例２の点灯装置の回路図を示す。実施例１と異なり、第２のインピーダンス素子８を、ＬＥＤモジュール３の内部に組み込んだものである。
【００５２】
また、図６は、実施例２の点灯装置の変形例の回路図を示す。本例においては、第２のインピーダンス素子８がＬＥＤモジュール３に内蔵され、ＬＥＤモジュール３が、点灯装置の他の部分とコネクタＣＮを介して接続されている。本構成によれば、ＬＥＤモジュール３を点灯装置から外すと駆動信号が出力されず、簡易な構成および操作により、ＬＥＤモジュール３を外した場合に点灯装置の動作を停止することができる。
【００５３】
図７および図８は、上記の点灯装置を含む照明器具の例を示す。上述のコネクタＣＮは、装置外部でＬＥＤモジュール３と接続可能なように配置されている。ＬＥＤモジュール３以外の点灯装置の部分（図６におけるコネクタＣＮより左側部分）は、図７に示す照明器具３０の器具本体３１に内蔵される。
【００５４】
ＬＥＤモジュール３は、このような照明器具に接続及び挿入可能なように、図８に示すような構成とすればよく、複数個のＬＥＤを基板上に実装し、一般的な放電ランプと略同形状で透光性を持った筐体内に収められる。
【００５５】
＜実施例３＞
図９は、実施例３の点灯装置の回路図を示す。実施例１と異なり、駆動部４と第２のインピーダンス素子８が、一体的に制御用集積回路９として構成されている。図１０は、実施例３の点灯装置の変形例の回路図を示し、駆動部４と第２のインピーダンス素子８のみならず、制御部５とタイマー部７も一体的に制御用集積回路９として構成されている。
【００５６】
ところで、２００Ｖを越える中〜高電圧用のスイッチング素子Ｑ１（ＭＯＳＦＥＴ）を駆動するための閾値電圧ＶＴは、市販されている素子に関しては、個々のメーカーでの設計に応じた違いはあるが、２Ｖから４Ｖ程度の電圧に設定されている。
【００５７】
また、照明用のＬＥＤモジュール３（ＬＥＤ光源）に流れる電流についても、設計に応じた違いはあるが、最大でも１Ａ程度の電流で使用される可能性もある。このような電流をＬＥＤモジュール３に供給するためには、スイッチング素子Ｑ１のゲートに印加されるゲート電圧は、少なくとも上述の駆動閾値ＶＴの２倍以上、望ましくは３倍以上が必要とされる。
【００５８】
上述した実施例においては、第１のインピーダンスが第２のインピーダンスより大きい場合について説明した。さらに、上述したような製品の実情下において、より安定したスイッチング素子Ｑ１の制御を実現することを考える。電源Ｖｃｃが１０Ｖであって、ＨＶｃｃは９Ｖ以上の電圧に設定されると仮定すると（駆動閾値ＶＴを３Ｖとするとその３倍）、少なくとも第１のインピーダンス素子１０の第１のインピーダンスは、第２のインピーダンス素子８の第２のインピーダンスの１０倍より大きいことが望ましい（第１のインピーダンス＞１０×第２のインピーダンス）。
【００５９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００６０】
１    直流電源部
２    降圧チョッパ部（電圧変換回路）
３    ＬＥＤモジュール（電気的光源）
４    駆動部
５    制御部
６    制御電源部
７    タイマー部
８    第２のインピーダンス素子
９    制御用集積回路
１０  第１のインピーダンス素子
【図１】
0006011761.tif 000002
【図２】
0006011761.tif 000003
【図３】
0006011761.tif 000004
【図４】
0006011761.tif 000005
【図５】
0006011761.tif 000006
【図６】
0006011761.tif 000007
【図７】
0006011761.tif 000008
【図８】
0006011761.tif 000009
【図９】
0006011761.tif 000010
【図１０】
0006011761.tif 000011
【図１１】
0006011761.tif 000012
【図１２】
0006011761.tif 000013